(57)【特許請求の範囲】
【請求項１】
前身頃領域および後身頃領域を有し、ウエスト周り開口部および左右一対の脚周り開口部が形成された外装シートと、
この外装シートの内側面の少なくとも前記前身頃領域に配され、液不透過性のバックシートと、このバックシートに接合される液透過性のトップシートと、このトップシートと前記バックシートとの間に配される吸収体とを有する吸収性本体と
を具えて男性に着用される吸収性物品であって、
前記外装シートは、前記前身頃領域から前記後身頃領域に向けて延在して男性器の陰茎部を引き出し可能にスリットがさらに形成され、
前記吸収性本体は、前記ウエスト周り開口部側の端縁部および前記後身頃領域に近い側の端縁部および一方の前記脚周り開口部に近い側の側端縁部が前記スリットを囲むように前記外装シートに接合され、他方の前記脚周り開口部に近い側の側端縁部から前記スリットを囲む前記外装シートとの接合部分に至るまで、前記外装シートに対して非接合状態となって、前記外装シートにおける前記スリットの形成位置との間の離隔距離を確保して前記男性器の陰茎部を前記スリットから引き出すことを可能にするように、前記一方の脚周り開口部側の側端縁部の前記外装シートとの接合部分が前記スリットから離隔する位置に配置されており、
前記吸収性本体は、その左右両側に沿って延在する一対のサイドシートと、これら一対のサイドシートの相互に対向する内側の側端縁部に伸長状態で接合され、かつこれら内側の側端縁部に沿ってそれぞれ延在する一対の弾性部材とを有し、これら弾性部材がそれぞれ接合される前記内側の側端縁部と反対側の前記サイドシートの外側の側端縁部側が前記トップシート側の前記吸収性本体の表面にそれぞれ接合され、前記サイドシートの側端縁部に沿った前記吸収性本体の両端側の前記一対のサイドシートの接合部分の間隔は、前記サイドシートの側端縁部に沿った前記吸収性本体の中央側の前記一対のサイドシートの接合部分の間隔よりも狭く設定されていることを特徴とする吸収性物品。
【請求項２】
前記スリットが前記ウエスト周り開口部の端縁に対して傾斜していることを特徴とする請求項１に記載の吸収性物品。
【請求項３】
前記スリットは、前記他方の脚周り開口部よりも前記一方の脚周り開口部に近づけて当該一方の脚周り開口部に沿って形成されていることを特徴とする請求項２に記載の吸収性物品。
【請求項４】
前記外装シートの外側から前記スリットの位置を判別可能なスリット位置表示部をさらに有することを特徴とする請求項１から請求項３の何れか一項に記載の吸収性物品。
【請求項５】
前記スリット位置表示部は、視覚および触覚のうちの少なくとも一方を利用したものであることを特徴とする請求項４に記載の吸収性物品。
【請求項６】
前記吸収性本体は、前記前身頃領域から前記後身頃領域に亙って配されており、前記前身頃領域と前記後身頃領域との間の股下部領域における前記吸収体の幅は、前記ウエスト周り開口部側の前記吸収体の幅よりも狭く設定されていることを特徴とする請求項１から請求項５の何れか一項に記載の吸収性物品。
【請求項７】
前記他方の脚周り開口部に近い側で前記吸収体を介さずに重なり合う前記バックシートおよび前記トップシートの側端部が折り返された折り返し部を形成したことを特徴とする請求項１から請求項６の何れか一項に記載の吸収性物品。
【請求項８】
前記他方の脚周り開口部に近い側で前記吸収体を介さずに重なり合う前記バックシートおよび前記トップシートの側端部が折り返された折り返し部を形成し、前記吸収性本体は、前記折り返し部をくるむように前記吸収性本体の表面に接合される疎水性のエッジシートをさらに有することを特徴とする請求項１から請求項６の何れか一項に記載の吸収性物品。
【発明の詳細な説明】
【技術分野】
【０００１】
本発明は、男性用下着として用いられ、特に成人男性の失禁対策用品としての吸収性物
品に関する。
【背景技術】
【０００２】
軽度失禁対策として少量の尿を吸収することができる、いわゆる尿吸収パッドを具えた失禁用パンツが知られている。この失禁用パンツは、パンツ本体と尿吸収パッドとを一体化したものであり、着用者自身による着脱が容易であって着用感も通常の下着に対してそれほど大きな違和感がないことから、成人の場合には下着感覚で着用することも可能である。
【０００３】
このような失禁用パンツの着用者の失禁の程度が軽い男性の場合、男性用便器に対して立ち姿勢にて排尿することができるようにすることも望まれており、このような観点から、男性用に特化した前あきタイプの吸収性物品が特許文献１にて提案されている。
【先行技術文献】
【特許文献】
【０００４】
【特許文献１】特開２０１３−１５４０３８号公報
【発明の概要】
【発明が解決しようとする課題】
【０００５】
特許文献１に提案された軽度失禁用の吸収性物品においては、前あき構造を確保するために尿の吸収を最も必要とする尿吸収パッドの中央部が空隙となっている。このため、このような状態で着用者が失禁すると、尿がこの空隙部分から外装シートの外に漏出してしまう可能性がある。特に、着用者が前かがみの姿勢を取ったり、椅子などに着座した状態では、尿吸収パッドが上下方向に撓んで空隙部分が拡がってしまうため、この状態で失禁か起こると、尿はほとんど確実に外装シートの外に漏出する。
【０００６】
本発明の目的は、男性が男性用便器に対して立ち姿勢にて排尿を容易に行うことができ、しかも引用文献１における上述した不具合を未然に防止することが可能な吸収性物品を提供することにある。
【課題を解決するための手段】
【０００７】
本発明による吸収性物品は、前身頃領域および後身頃領域を有し、ウエスト周り開口部および左右一対の脚周り開口部が形成された外装シートと、
この外装シートの内側面の少なくとも前記前身頃領域に配され、液不透過性のバックシートと、このバックシートに接合される液透過性のトップシートと、このトップシートと前記バックシートとの間に配される吸収体とを有する吸収性本体と
を具え、前記外装シートは、前記前身頃領域から前記後身頃領域に向けて延在するスリットがさらに形成され、前記吸収性本体は、前記ウエスト周り開口部側の端縁部および前記後身頃領域に近い側の端縁部および一方の前記脚周り開口部に近い側の側端縁部が前記スリットを囲むように前記外装シートに接合され、他方の前記脚周り開口部に近い側の側端縁部から前記スリットを囲む部分に至るまで、前記外装シートに対して非接合状態となっていることを特徴とするものである。
【０００８】
この吸収性物品を着用した状態においては、着用者の陰茎部が吸収性本体のトップシートの表面に接した状態となる。この状態において吸収性物品の男性着用者が男性用便器に対して立ち姿勢で排尿を行うことができる場合、外装シートに形成されたスリットから指を入れて吸収性本体の側端縁部からスリットを囲む部分に至る外装シートとの間の非接合領域を介して自身の陰茎部をスリットの外に引き出し、排尿を行う。しかる後、自身の陰茎部を再びスリットから吸収性本体の側端縁部に至る外装シートとの間の非接合領域を介して吸収性本体のトップシートの表面に接するように押し戻す。一方、着用者の陰茎部が吸収性本体のトップシートの表面に接した状態で失禁があった場合、尿は吸収性本体の吸収体に直ちに吸収保持され、外部への漏洩が阻止される。このような失禁があった場合、必要に応じて着用者は新たな吸収性物品に履き替えることができる。
【０００９】
本発明による吸収性物品において、スリットをウエスト周り開口部の端縁に対して傾斜させることが有効である。この場合、スリットは、他方の脚周り開口部よりも一方の脚周り開口部に近づけてこれに沿って形成することが好ましい。
【００１０】
また、外装シートの外側から前記スリットの位置を判別可能なスリット位置表示部をさらに有することが有効である。この場合、スリット位置表示部は、視覚および触覚のうちの少なくとも一方を利用したものであってよい。視覚を利用したスリット位置表示部は、外装シートに対して異なる色相を有し、図形および文字および領域の何れかを含むことができる。触覚を利用したスリット位置表示部は、他の部分と手触りが異なるように、該当シートの表面の性状を変化させたものであってよい。
【００１１】
また、吸収性本体を前身頃領域から後身頃領域に亙って配し、前身頃領域と後身頃領域との間の股下部領域における吸収体の幅をウエスト周り開口部側の吸収体の幅よりも狭く設定するようにしてもよい。
【００１２】
吸収性本体は、その左右両側に沿って延在する一対のサイドシートと、これら一対のサイドシートの相互に対向する内側の側端縁部に伸長状態で接合され、かつこれら内側の側端縁部に沿ってそれぞれ延在する一対の弾性部材とをさらに有し、これら弾性部材がそれぞれ接合される内側の側端縁部と反対側のサイドシートの外側の側端縁部側をトップシート側の吸収性本体の表面にそれぞれ接合し、サイドシートの側端縁部に沿った吸収性本体の両端側の一対のサイドシートの接合部の間隔をサイドシートの側端縁部に沿った吸収性本体の中央側の一対のサイドシートの接合部の間隔よりも狭く設定することができる。この場合、他方の脚周り開口部に近い側で前記吸収体を介さずに重なり合うバックシートおよびトップシートの側端部が折り返された折り返し部を形成し、一対のサイドシートは、この折り返し部をくるむように吸収性本体の表面にそれぞれ接合されることが好ましい。
【００１３】
他方の脚周り開口部に近い側で吸収体を介さずに重なり合うバックシートおよびトップシートの側端部が折り返された折り返し部を形成し、吸収性本体は、折り返し部をくるむように吸収性本体の表面に接合される疎水性のエッジシートをさらに有することができる。
【発明の効果】
【００１４】
本発明の吸収性物品によると、吸収性本体が他方の脚周り開口部に近い側の側端縁部からスリットを囲む部分に至るまで、外装シートに対して非接合状態となっているので、通常の下着を着用した場合と同様に、その男性着用者が男性用便器に対して立ち姿勢にて排尿を容易に行うことができる。このため、失禁製品を着用していることを他人に想起させにくくすることが可能となる。
【００１５】
また、スリットを傾斜させた場合、特にスリットを他方の脚周り開口部よりも一方の脚周り開口部に近づけてこれに沿って形成することにより、着用時に着用者の鼠蹊部に沿って外装シートの表面に生ずる張力の方向に対し、スリットをほぼ平行にすることができる。この結果、スリットが意図せずに開いてしまうような現象を抑制することができる。
【００１６】
外装シートの外側からスリットの位置を判別可能なスリット位置表示部をさらに有する場合、着用者が陰茎部を引き出す際に視覚や触覚を利用してスリットの位置を容易に把握することができる。
【００１７】
吸収性本体を前身頃領域から後身頃領域に亙って配し、前身頃領域と後身頃領域との間の股下部領域における吸収体の幅をウエスト周り開口部側の吸収体の幅よりも狭く設定した場合、吸収性物品を着用した際の着用者の股下部における着用感を向上させることができる。
【００１８】
サイドシートの側端縁部に沿った吸収性本体の両端側の一対のサイドシートの接合部の間隔を中央側の間隔よりも狭く設定した場合、立体ギャザーとなる左右一対のサイドシートの間に着用者の男性器を安定して保持することができる。これにより、失禁があっても尿が吸収性本体の左右両側端から外装シート側へと漏れるのを阻止することが可能となる。特に、吸収体を介さずに重なり合うバックシートおよび、トップシート或いはサイドシートの側端部が肌当接面側に折り返されて接合することにより、液不透過性のバックシートにて吸収体の側端縁を包み込むことになり、吸収体に吸収された尿が吸収性本体の幅方向側端縁から滲み出すのを阻止することができる。ここで、サイドシートにて吸収性本体の中心側に自由端部を設け、当該自由端部に伸縮部材を配置して立体ギャザーを形成しても良い。また、肌触りの良くないバックシートが着用者の皮膚に接触するのを回避するために、バックシートの外側に不織布を配置しても良い。
【００１９】
また、吸収体を介さずに重なり合うバックシートおよびトップシートの側端部を折り返して折り返し部を形成し、吸収性本体に当該折り返し部をくるむように吸収性本体の表面に接合される疎水性のエッジシートを有する構成とすれば、吸収体に吸収された尿が吸収性本体の幅方向側端縁から滲み出すのを阻止することができる。この場合、エッジシートの肌当接面側の側端部に自由端部を設け、当該自由端部に伸縮部材を配置して立体ギャザーを形成しても良い。しかも、エッジシートの存在によって肌触りの良くないバックシートが着用者の皮膚に接触するのを回避することも可能となる。
【図面の簡単な説明】
【００２０】
【図１】本発明による吸収性物品を失禁用パンツに応用した一実施形態の外観を模式的に表す立体投影図である。
【図２】図１に示した本実施形態による失禁用パンツを展開してその内側を示す平面図である。
【図３】図１に示した実施形態における吸収性本体の部分を抽出拡大した平面図である。
【図４】図３中のIV−IV矢視に沿った拡大断面図である。
【図５】図３中のＶ−Ｖ矢視に沿った拡大断面図である。
【発明を実施するための形態】
【００２１】
本発明による吸収性物品を使い捨てタイプの失禁用パンツに応用した一実施形態について、図１〜図５を参照しながら詳細に説明する。しかしながら、本発明はこのような実施形態のみに限らず、吸収性物品に要求される特性に応じてその構成を自由に変更することが可能である。
【００２２】
本実施形態による失禁用パンツの外観を模式的に図１に示し、これを破断展開した内側の平面形状を図２に示す。また、図２に示した吸収性本体の部分を抽出拡大して一部を破断した状態で図３に示し、そのIV−IV矢視およびＶ−Ｖ矢視に沿った断面構造をそれぞれ図４および図５に模式的に示す。
【００２３】
本実施形態における失禁用パンツ１０は、前身頃領域１０Ｆと、後身頃領域１０Ｒと、これら前身頃領域１０Ｆおよび後身頃領域１０Ｒをつなぐ股下領域１０Ｃとを有する。また、前身頃領域１０Ｆと後身頃領域１０Ｒとを相互に接合することで着用者のウエストの部分を取り囲むウエスト周り開口部１１が形成されている。同様に、前身頃領域１０Ｆおよび後身頃領域１０Ｒの下端部と股下領域１０Ｃとで着用者の両脚の太股部分を取り囲む左右一対の脚周り開口部１２Ｒ，１２Ｌが形成されている。
【００２４】
この失禁用パンツ１０は、外側から順に外装シート１３と、インナーシート１４と、吸収性本体１５とを重ねて接合したものであり、着用者の肌触りを良好に維持するためのインナーシート１４は、外装シート１３と同一形状を有している。
【００２５】
外装シート１３とインナーシート１４との間には、脚周りギャザー１２ｇを形成するための糸ゴムなどの弾性部材１６と、ウエスト周りギャザー１１ｇを形成するための糸ゴムなどの弾性部材１７とがそれぞれ伸長状態で接合されている。なお、ウエスト周りギャザー１１ｇに加えて胴回りギャザーを形成することも可能である。外装シート１３およびインナーシート１４の股下領域１０Ｃの左右両側には、それぞれ脚周り開口部１２Ｒ，１２Ｌとなる半円弧状をなす一対の切欠き部１２ｃが形成されている。股下領域１０Ｃと共に失禁用パンツ１０の前身頃領域１０Ｆおよび後身頃領域１０Ｒを画成する外装シート１３の左右両側縁部がインナーシート１４と共に相互に接合され、閉じ合わせ部１０Ｊを形成している。これにより、先のウエスト周り開口部１１と、両脚の太股部分を取り囲む左右一対の脚周り開口部１２Ｒ，１２Ｌとが画成される。
【００２６】
外装シート１３およびこれと一体のインナーシート１４には、前身頃領域１０Ｆから後身頃領域１０Ｒに向けて延在し、着用者の陰茎部Ｐ（図４参照）を出し入れするためのスリット１８が形成されている。本実施形態におけるスリット１８は、ウエスト周り開口部１１の端縁に対して傾斜した状態で他方の脚周り開口部１２Ｌよりも一方の脚周り開口部１２Ｒに近づけてこれに沿って形成され、着用時に鼠蹊部に沿うように配慮している。なお、このスリット１８を他方の脚周り開口部１２Ｌに近づけてこれに沿って形成するようにしてもよい。本実施形態におけるスリット１８は、外装シート１３およびインナーシート１４を切り屑が出ないようにカッターなどで切れ目を入れて形成したものであるが、細長い開口となるように打ち抜き、幅を持たせることも可能である。
【００２７】
外装シート１３は、この外装シート１３に対して明確に異なる色相を持つ細長いスリット位置表示部１８Ｉを有し、このスリット位置表示部１８Ｉの領域に上述したスリット１８が形成されている。スリット位置表示部１８Ｉを外装シート１３および吸収性本体１５と対向するインナーシート１４およびこのインナーシート１４と対向する吸収性本体１５の表面のうちの少なくとも１カ所に形成することができる。何れにしろ、このスリット位置表示部１８Ｉによって、着用者は外装シート１３の表面に形成されたスリット１８の位置を容易に視認することが可能である。
【００２８】
このように、本実施形態では外装シート１３に対して異なる色相を持つ領域をスリット位置表示部１８Ｉとして形成したが、文字や矢印などの図形や文字を用いてスリット位置表示部１８Ｉを形成することも可能であり、これらをさらに組み合わせることも有効である。また、スリット１８の位置を視覚で把握する代わりに、触覚を利用してスリット１８の位置を把握することも可能である。例えば、外装シート１３の表面に対して手触りが明確に異なることを認識できるような細長いシートをスリット１８と重なるように外装シート１３に接合し、この細長いシートにスリット１８を形成するようにしてもよい。あるいは、あらかじめ外装シート１３に形成されたスリット１８に沿って細長いシートを外装シート１３の表面に接合することも可能である。
【００２９】
吸収性本体１５は、インナーシート１４の前身頃領域１０Ｆから股下領域１０Ｃに亙って配されている。そして、ウエスト周り開口部１１側の端縁部と、後身頃領域１０Ｒに近い側の端縁部と、一方の脚周り開口部１２Ｒに近い側の側端縁部とが先のスリット１８を囲むようにインナーシート１４に接合され、吸収性本体１５の接合領域１５Ｊを画成している。換言すると、接合領域１５Ｊ以外の吸収性本体１５の部分は、外装シート１３と一体のインナーシート１４に対して非接合状態となった非接合領域１５Ｎを画成する。この非接合領域１５Ｎは、他方の脚周り開口部１２Ｌに近い側の側端縁部から少なくともスリット１８を囲む部分に至るまで、インナーシート１４との間に形成されている。従って、先のスリット１８は、インナーシート１４と吸収性本体１５との間の非接合領域１５Ｎを介し、他方の脚周り開口部１２Ｌに近い側の吸収性本体１５の側端縁部と、インナーシート１４との間に形成された隙間１９に連通状態となっている。
【００３０】
従って、本実施形態による失禁用パンツ１０は、通常の前あきの下着と同様に、その男性着用者が男性用便器に対して立ち姿勢で排尿処理を行うことができる。すなわち、外装シート１３に形成されたスリット１８から吸収性本体１５の非接合領域１５Ｎおよび先の隙間１９を介して指を入れ、吸収性本体１５をずらすことにより、自身の陰茎部Ｐをスリット１８の外に引き出すことができる。また逆に、自身の陰茎部Ｐをスリット１８から非接合領域１５Ｎおよび隙間１９を介して吸収性本体１５の内側表面（後述するトップシート）に接するように押し戻すことができる。
【００３１】
本実施形態における吸収性本体１５は、液不透過性のバックシート２０と、尿を吸収保持するための吸収体２１と、液透過性のトップシート２２と、疎水性のサイドシート２３と、糸ゴムなどの弾性部材２４とで構成されている。
【００３２】
バックシート２０は、吸収体２１に吸収された尿が吸収体２１から漏れないようにするためのものであり、トップシート２２は、良好な肌触りが得られるように不織布の形態にて形成される。吸収体２１を介さずに重なり合うバックシート２０およびトップシート２２の左右両側端部は、バックシート２０を外側にして折り返された折り返し部１５Ｔを形成している。なお、トップシート２２を外側にして折り返し部を形成することも可能であるが、この場合、吸収体２１からトップシート２２を伝わって尿が滲み出さないように、折り返し部をくるんだ状態で疎水性のサイドシート２３を吸収性本体１５の表面に接合しておくことが好ましい。
【００３３】
トップシート２２とバックシート２０との間に配される吸収体２１は、マット状をなすフラッフパルプ中にＳＡＰ(Super Absorbent Polymer：高吸水性ポリマー) を分散させ、これをティシュで包み込んだものが一般的である。本実施形態における股下領域１０Ｃ側の吸収体２１の幅寸法（図２中、左右方向）は、ウエスト周り開口部１１側の吸収体２１の幅寸法よりも狭く設定され、着用時に股下部の違和感が少なくなるように配慮している。なお、吸収性本体１５は前身頃領域１０Ｆから後身頃領域１０Ｒに亘って配するようにしてもよく、この場合にも前身頃領域１０Ｆと前記後身頃領域１０Ｒとの間の股下部領域１０Ｃにおける吸収体２１の幅寸法をウエスト周り開口部１１側の吸収体２１の幅寸法よりも狭く設定すれば、着用時の股下部の違和感を少なくすることができる。
【００３４】
疎水性のサイドシート２３は吸収性本体１５の左右両側に沿って延在し、その長手方向両端部がトップシート２２に接合されている。弾性部材２４は、一対のサイドシート２３の相互に対向する内側の側端縁部に沿ってそれぞれ延在するように、これら内側の側端縁部に伸長状態で接合されている。これら弾性部材２４がそれぞれ接合される内側の側端縁部と反対側のサイドシート２３の外側の側端縁部側は折り返し部１５Ｔをくるむようにバックシート２０にそれぞれ接合されている。さらに、サイドシート２３の側端縁部に沿った吸収性本体１５の両端側の一対のサイドシート２３の接合部２３Ｊの間隔は、サイドシート２３の側端縁部に沿った吸収性本体１５の中央側の一対のサイドシート２３の接合部２３Ｊの間隔よりも狭く設定されている。
【００３５】
これにより、失禁用パンツ１０を着用した状態では、サイドシート２３が糸ゴム２４の弾性力によって立体ギャザー２３ｇを画成し、失禁時に尿が吸収性本体１５の左右両側端から外装シート１３側へと漏れるのを阻止する堰として機能する。また、着用状態では左右一対の立体ギャザー２３ｇの間に着用者の男性器Ｖを安定して保持することが可能となる。このため、失禁があっても尿は吸収性本体１５の吸収体２１に直ちに吸収保持され、外部への漏洩を確実に阻止することができる。
【００３６】
一方、その男性着用者が男性用便器に対して立ち姿勢で排尿を行うことができる場合には、外装シート１３に形成されたスリット１８から指を入れて吸収性本体１５の側端縁部と外装シート１３との間に形成された隙間１９を介して自身の陰茎部Ｐをスリット１８の外に引き出せばよい。これにより吸収性本体１５を尿で汚すことなく、排尿を行うことができる。しかる後、自身の陰茎部Ｐを再びスリット１８から吸収性本体１５と外装シート１３との間の隙間１９を介して吸収性本体１５の左右の立体ギャザー２３ｇの間に位置するように押し戻せばよい。
【００３７】
このように、他方の脚周り開口部１２Ｌに近い側の吸収性本体１５の側端縁部と、インナーシート１４との間に形成された隙間１９と、スリット１８との距離が離れているため、失禁用パンツ１０の着用中はスリット１８を吸収性本体１５が覆う状態となる。これにより、着用者の動きによって吸収性本体１５が多少ずれてもスリット１８が着用者に直接接するような状態とならず、スリット１８を通して失禁用パンツ１０の外側に尿が漏れるような虞は発生しない。しかも、排尿のために吸収性本体１５をずらして男性器Ｖをスリット１８から引き出し、排尿後に男性器Ｖを再び失禁用パンツ１０内に戻した場合、吸収性本体１５が着用者とスリット１８との間に介在する位置に自ずと納まることとなる。このため、尿がスリット１８を通って漏出するような虞も発生しない。
【００３８】
上述した実施形態では、吸収性本体１５に立体ギャザー２３ｇを画成する左右一対のサイドシート２３を配しているが、これらサイドシート２３を省略し、男性器Ｖの出し入れを行いやすくすることも可能である。この場合、肌触りの良くないバックシート２０に男性器Ｖが直接当たらないようにすると共にトップシート２２の側端部を介した吸収性本体１５からの尿の滲み出しを防止することが望ましい。このため、肌触りの良好な不織布にて形成される疎水性のエッジシートを上述したサイドシート２３に代えてバックシート２０の側端部に接合するようにしてもよい。この場合、バックシート２０が着用者の肌に触れないように、先の折り返し部１５Ｔをくるむようにエッジシートが配される。
【００３９】
なお、本発明はその特許請求の範囲に記載された事項のみから解釈されるべきものであり、上述した実施形態においても、本発明の概念に包含されるあらゆる変更や修正が記載した事項以外に可能である。
【符号の説明】
【００４０】
１０  失禁用パンツ
１０Ｆ  前身頃領域
１０Ｒ  後身頃領域
１１  ウエスト周り開口部
１２Ｒ，１２Ｌ  脚周り開口部
１３  外装シート
１４  インナーシート
１５  吸収性本体
１５Ｊ  接合領域
１５Ｎ  非接合領域
１５Ｔ  折り返し部
１８  スリット
１８Ｉ  スリット位置表示部
１９  隙間
２３  サイドシート
２３Ｊ  接合部
２３ｇ  立体ギャザー
２４  弾性部材
【図１】
0006690344.tif 000002
【図２】
0006690344.tif 000003
【図３】
0006690344.tif 000004
【図４】
0006690344.tif 000005
【図５】
0006690344.tif 000006